(57)【要約】      （修正有）【課題】リビング等にそのままの状態で置いておいても、室内の雰囲気や美観を損なわず、むしろ、室内インテリアとして十分通用する外観を備えた粘着テープクリーナーを提供する。【解決手段】粘着テープロール１を嵌入支持する筒状のテープホルダー４に支持グリップ５を回転可能に連結したクリーナー本体２と、粘着テープロールを挿着したクリーナー本体を収装する収納ケース３とを備える。さらに、上記支持グリップを、所定間隔を空けテープホルダーの周面に平行する握持部５ｂを有するようＬ字状に形成し、また、上記収納ケースを、その一方側に粘着テープロールの最大初期外径よりやや大きな内径でクリーナー本体の縦寸法と同深度からなる円筒状のホルダー収納部を内設するとともに、ホルダー収納部の開口縁より他方外側にかけて、Ｌ字状の支持グリップの外形に対応したグリップ収納溝を凹設した中空筐体とする。【選択図】図１
0003182666.tif 000002
【実用新案登録請求の範囲】
【請求項１】
粘着面を表側に粘着テープを多層巻回してなる粘着テープロールと、粘着テープロールの巻芯径より若干小径に形成された筒状のテープホルダーに支持グリップを回転可能に連結したクリーナー本体と、不使用時に粘着テープロールを挿着したクリーナー本体を収装可能に形成した収納ケースとからなる粘着テープクリーナーであって、上記支持グリップを、所定間隔を空けテープホルダ−の周面に平行する握持部を有するようＬ字状に形成し、また、上記収納ケースを、その一方側に粘着テープロールの最大初期外径よりやや大きな内径で、クリーナー本体の縦寸法と同深度からなる円筒状のホルダー収納部を内設するとともに、ホルダー収納部の開口縁より他方外側にかけて、支持グリップの外形に対応したＬ字状のグリップ収納溝を凹設した中空筐体としたことを特徴とする粘着テープクリーナー。
【請求項２】
前記収納ケースに、凹設されたグリップ収納溝の上側溝部と交叉し、少なくともその一方側が開放されていて、クリーナー本体を収納ケースに収装した際に前記支持グリップ下面と底面との間に所定の間隙が生じる断面Ｕ字形の凹陥部を形成したことを特徴とする請求項１に記載の粘着テープクリーナー。
【請求項３】
前記収納ケースに内設されたホルダー収納部の内周面高さ方向に、複数の突条を設けたことを特徴とする請求項１又は請求項２に記載の粘着テープクリーナー。
【考案の詳細な説明】
【技術分野】
【０００１】
本考案は、カーペット等に付着した髪の毛や糸屑等のゴミ類を粘着テープの粘着力によって取り除くために使用される粘着テープクリーナーに関する。
【背景技術】
【０００２】
図８に示すように、一般的なこの種の粘着テープクリーナー５１は、紙製や樹脂製などの帯状テープの一方の面を粘着面とし、その粘着面を表側にして円筒形の芯に多層に巻回してなる粘着テープロール５２と、この粘着テープロール５２を回転可能に支持するクリーナー本体５３とからなる。クリーナー本体５３は、前記粘着テープロール５２を回動可能に支持するためのテープホルダー５４を備え、このテープホルダー５４には、端部にグリップ部５６を有する支持シャフト５５が回動自在に連結されている（特許文献１参照）。
【０００３】
使用に当たっては、粘着テープロール５２をテープホルダー５４の自由端側から差し込み装着し、クリーナー本体５３に設けられたグリップ部５６を握り、カーペット等の被清掃面上で粘着テープロール５２を転がすことによって髪の毛や糸屑等のゴミをその粘着面で捕らえ取り除く構成となっている。
【０００４】
そして、通常、この種の粘着テープクリーナーには、不使用時に粘着テープロール５２の粘着面を保護し保管しておくための収納カバー５７が付属されている。収納カバー５７は、高さ方向に等分割した中空半円筒体５７ａ、５７ｂをヒンジ手段を介して連結したものとなっていて、粘着テープロール５２を収納する際には、粘着テープロール５２を一方の中空半円筒体５７ａ又は５７ｂに納めた状態から、中空半円筒体５７ａと５７ｂとを相互に付合させ、対向する凹凸係合部５８、５８によって係着するようにしたものが一般的である。
【先行技術文献】
【特許文献】
【０００５】
【特許文献１】特許第４１９０１９５号公報
【特許文献２】特開２０１１−０６７５６４号公報
【特許文献３】特開２０１２−２２３３９８号公報
【考案の概要】
【考案が解決しようとする課題】
【０００６】
上記のように、従来の粘着テープクリーナーにあっては、図示の如く、支持シャフト５５は、テープホルダー５３を回動可能にする軸支部から粘着テープロール５２を迂回するようＵ字状に折り曲げられ、さらに、テープホルダー５３のほぼ中間位置より直角（真上）に折り曲げグリップ部５６に接続されている。したがって、粘着テープロール５２を収納カバー５６内に収納した状態にあっても、支持シャフト５４及びそれに接続するグリップ部５５は、収納カバー５６から露出したままの状態となっている。
【０００７】
このような状態で、不使用時、リビング等の室内に無造作に置いておくと、如何にも掃除用具との外観は隠しようがなく、室内の美観や雰囲気を壊してしまう問題がある。そもそも、この種の粘着テープクリーナーは、日常頻繁に使うものであるから、本来身近に置いておくことが好ましい。にもかかわらず、このような美観上の問題から、収納家具や押し入れ等に収納しておくことが多いのが通例である。また、収納家具等に収納しておく場合であっても、露出した支持シャフトやグリップの部分が嵩張り邪魔となって収納し辛いという問題もある。
【０００８】
本考案は、上述した従来の問題点に鑑みなされたもので、身近な所にそのままの状態で置いておいても周囲の雰囲気や美観を損なわず、むしろ、室内インテリアとして十分通用する外観を備えた粘着テープクリーナーを提供することを目的とする。
【課題を解決するための手段】
【０００９】
上記目的を達成するため、請求項１に記載の考案は、粘着面を表側に
粘着テープを多層巻回してなる粘着テープロール、粘着テープロールの巻芯径より若干小径に形成された筒状のテープホルダーに所定のスチールロッドを介して支持グリップを回転可能に連結したクリーナー本体及び不使用時に粘着テープロールを挿着したクリーナー本体を収装する収納ケースとからなる粘着テープクリーナーであって、上記支持グリップを、所定間隔を空けテープホルダ−の周面に平行する握持部を有するＬ字状に形成し、また、上記収納ケースを、その一方側に粘着テープロールの最大初期外径より大きな内径でクリーナー本体の縦寸法と同深度からなる円筒状のホルダー収納部を内設するとともに、ホルダー収納部の開口縁より他方外側にかけて支持グリップの外形に対応したＬ字状のグリップ収納溝を凹設した中空筐体としたことを特徴とする。
【００１０】
請求項２に記載の考案は、請求項１の構成において、収納ケースの上面に凹設されたグリップ収納溝の上側溝部と交叉し、少なくともその一方側が開放されていて、クリーナー本体を収納ケースに収装した際に支持グリップ下面とその底面との間に所定の間隙が生じるような断面Ｕ字形の凹陥部を形成したことを特徴とする。
【００１１】
請求項３に記載の考案は、請求項１又は請求項２の構成において、収納ケースに内設されたホルダー収納部の内周面高さ方向に、複数の突条を設けたことを特徴とする。
【考案の効果】
【００１２】
請求項１に記載の考案によれば、クリーナー本体を構成する支持グリップが収納ケース−の周面に沿ったＬ字形に形成され、一方、収納ケースには、粘着テープロールを装着したままのテープホルダーを収納するのに必要且つ十分なホルダー収納部と、支持グリップの外形に対応したＬ字状のグリップ収納溝を設けてあるため、不使用時、粘着テープロールを装着したクリーナー本体を収納ケースに収めると、従来品のように支持シャフト（グリップ）が収納カバー（ケース）より露出してしまうようなことはなく、クリーナー本体の全体が収納ケースにぴったり収まって一体化し、そのままリビング等の室内に置いておいても掃除用具とは分からず、むしろ、収納ケースのデザイン性から室内インテリアとして十分通用する調度品とすることができる。
【００１３】
請求項２に記載の考案によれば、収納ケース上部にグリップ収納溝に交叉して断面Ｕ字形の凹陥部を形成したことにより、支持グリップ下面と凹陥部底面との間に生じた間隙に指を差入れ支持グリップを引き上げることにより、クリーナー本体を収納ケースより容易に取り出すことができる。
【００１４】
請求項３に記載の考案によれば、収納ケースに内設されたホルダー収納部の内周面高さ方向に複数の突条を設けたことにより、クリーナー本体の収納ケースからの収脱時、粘着テープの粘着面とホルダー収納部の内周面との接触（接着）面がより少なくて済むため、クリーナー本体の収脱をスムーズに行うことが可能となっている。
【図面の簡単な説明】
【００１５】
【図１】本考案の一実施形態に係る粘着テープクリーナーのクリーナー本体と収納ケースそれぞれの斜視図。
【図２】クリーナー本体を収納ケースに収納した状態での斜視図。
【図３】同状態でのクリーナー本体の正面図と収納ケースの断面図。
【図４】同状態での粘着テープクリーナーの正面図。
【図５】同状態での粘着テープクリーナーの左側面図。
【図６】同状態での粘着テープクリーナーの平面図。
【図７】テープホルダーと支持グリップとの連結状態を示す部分断面説明図。
【図８】従来の一般的な粘着テープクリーナーの斜視図。
【考案を実施するための形態】
【００１６】
以下、本考案の実施の形態を図面に基づいて説明する。
本考案に係る粘着テープクリーナーは、図１乃至図７に示すように、粘着面を表側に円筒芯に多層巻回してなる粘着テープロール１と、粘着テープロール１を回転可能に支持するクリーナー本体２と、クリーナー本体２の全体を収装する収納ケース３とからなる。
【００１７】
クリーナー本体２は、粘着テープロール１の巻芯に沿って挿入されるテープホルダー４と、一端側にてテープホルダー４を回転可能に支持するＬ字形の支持グリップ５とから構成されている。そして、テープホルダー４と支持グリップ５とは、それぞれの中空内に挿通された略Ｕ字形のスチールロッド６によって連結されていて、スチールロッド６のテープホルダー４内に挿通された部分は、テープホルダー４の回転軸として作用する。
【００１８】
テープホルダー４は、粘着テープロール１の巻芯径より若干小径に形成された合成樹脂製の筒状体で、上端面には、スチールロッド６が遊挿可能な軸受孔を貫設しテープホルダー４より若干大径からなる軸支キャップ７が冠着され、また、下端よりやや上方に位置する筒内には、中心に軸芯となるスチールロッド６が遊挿可能な軸受孔を貫設した円盤状の軸支板８が設けられている。また、テープホルダー４の下端周縁には、粘着テープロール１の抜け落ち防止のためのフランジ部９が形成され、テープホルダー４の下端縁から軸支板８との間には軸線方向に適宜数のスリット１０が形成されている。なお、符号１０は軸支キャップ７のテープホルダー４からの突出底面によって形成されたフランジ部で、前記フランジ部９と同様に粘着テープロール１の抜け落ちを防止する。
【００１９】
支持グリップ５は、合成樹脂製の板部材を成型加工したＬ字形の中空棒体で、軸支キャップ７の中央直上付近を基端として軸芯に直交（粘着テープロール１の上端面に平行）する支持部５ａと、所定間隔を空け、テープホルダ−４の周面に平行するよう折曲した握持部５ｂとが一体的に形成されている。握持部５ｂは、テープホルダ−４に対向する面が、手で握持した際にフィットし易いよう若干扁平となっている。
【００２０】
スチールロッド６は、テープホルダー４と支持グリップ５とを連結支持するとともに、テープホルダー４を回動可能に軸支する金属製の棒部材で、支持グリップ５の中空内部で嵌入固定され、軸支キャップ７の中央軸受孔を貫通し、テープホルダー４の中心部を通り、その先端部が軸支板８の中央軸受孔を貫通して僅かに突出する略Ｕ字形をなす。そして、軸支板８より突出する先端部分には抜け止めのためナット１２が螺着されている。
【００２１】
収納ケース３は、合成樹脂製の中空筐体で、その一方側には、粘着テープロール１の最大初期外径（未使用状態での外径）よりやや大きな内径で、クリーナー本体２の高さ寸法（テープホルダー４の下端から支持グリップ５の上端までの長さ）と同深度からなる円筒状のテープホルダー収納部１３が内設され、また、その内周面には、複数の突条１４が高さ方向に突設されている。そして又、テープホルダー収納部１３の開口縁より他方外側にかけては、Ｌ字状の支持グリップ５の外形に対応したグリップ収納溝１５が凹設されている。
【００２２】
さらに、収納ケース３の上部には、グリップ収納溝１５の上側溝部と交叉し、その一方側が開放された断面Ｕ字形の凹陥部１６が形成されている。この断面Ｕ字形の凹陥部１６は、図３に示すように、クリーナー本体２を収納ケース３に収納した際、支持グリップ５の支持部５ａの下面とこの凹陥部１６の底面との間に、指一本が容易に差し入れることができるような寸法形状をもって形成されている。
【００２３】
上述のように、本考案によれば、全体ががコンパクトに形成されているにもかかわらず、粘着テープクリーナーとしての機能を十分発揮することができ、加えて、不使用時にはクリーナー本体の全体が収納ケースにぴったり収まって一体化するため、収納ケースを室内の雰囲気に合わせて装飾しデザイン性を高めることにより室内インテリアとしても十分通用するものとすることができる。
【符号の説明】
【００２４】
１・・・粘着テープロール
２・・・クリーナー本体
３・・・収納ケ−ス
４・・・テープホルダー
５・・・支持グリップ
６・・・スチールロッド
７・・・軸支キャップ
８・・・軸支板
１１・・スリット
１３・・テープホルダー収納部
１４・・突条
１５・・グリップ収納溝
１６・・凹陥部
【図１】
0003182666.tif 000003
【図２】
0003182666.tif 000004
【図３】
0003182666.tif 000005
【図４】
0003182666.tif 000006
【図５】
0003182666.tif 000007
【図６】
0003182666.tif 000008
【図７】
0003182666.tif 000009
【図８】
0003182666.tif 000010